(57)【要約】【課題】 入力画像内では罫線が傾斜していても、罫線以外のオブジェクト（文字など）が存在するか否かを判別する。【解決手段】  投影画像生成部３は、（ａ）入力画像において主走査方向の各注目画素位置における、副走査方向に沿って所定画素数以上連続する副走査方向のランの検出を試み、検出した副走査方向のランを主走査方向に沿って投影して１次元の主走査方向投影画像を生成し、（ｂ）入力画像において副走査方向の各注目画素位置における、主走査方向に沿って所定画素数以上連続する主走査方向のランの検出を試み、検出した主走査方向のランを副走査方向に沿って投影して１次元の副走査方向投影画像を生成する。そして、白紙判定部４は、少なくとも主走査方向投影画像のラン数および副走査方向投影画像のラン数に基づいて、当該原稿が白紙原稿であると判定する。【選択図】  図１
2018093356.tif 000002
【特許請求の範囲】
【請求項１】
原稿から原稿画像を光学的に読み取る画像読取部と、
前記原稿画像から２値化画像である入力画像を生成する前処理部と、
（ａ）前記入力画像において主走査方向の各注目画素位置における、副走査方向に沿って所定画素数以上連続する副走査方向のランの検出を試み、検出した前記副走査方向のランを主走査方向に沿って投影して１次元の主走査方向投影画像を生成し、（ｂ）前記入力画像において副走査方向の各注目画素位置における、主走査方向に沿って所定画素数以上連続する主走査方向のランの検出を試み、検出した前記主走査方向のランを副走査方向に沿って投影して１次元の副走査方向投影画像を生成する投影画像生成部と、
少なくとも前記主走査方向投影画像のラン数および前記副走査方向投影画像のラン数に基づいて、当該原稿が白紙原稿であると判定する白紙判定部と、
を備えることを特徴とする画像読取装置。
【請求項２】
前記白紙判定部は、（ａ）前記主走査方向投影画像内にランが存在せず、前記副走査方向投影画像内にランが存在する場合、当該原稿が、横罫線を有する白紙原稿であると判定し、（ｂ）前記副走査方向投影画像内にランが存在せず、前記主走査方向投影画像内にランが存在する場合、当該原稿が、縦罫線を有する白紙原稿であると判定することを特徴とする請求項１記載の画像読取装置。
【請求項３】
前記白紙判定部は、（ａ）前記主走査方向投影画像内に所定数以上のランが存在せず、前記副走査方向投影画像内に前記所定数以上のランが存在する場合、当該原稿が、横罫線を有する白紙原稿であると判定し、（ｂ）前記副走査方向投影画像内に前記所定数以上のランが存在せず、前記主走査方向投影画像内に前記所定数以上のランが存在する場合、当該原稿が、縦罫線を有する白紙原稿であると判定し、
前記所定数は、１以上の数であって、設定データに基づいて指定されること、
を特徴とする請求項１記載の画像読取装置。
【請求項４】
前記白紙判定部は、（ａ）前記主走査方向投影画像内に所定長以上のランが存在せず、前記副走査方向投影画像内に前記所定長以上のランが存在する場合、当該原稿が、横罫線を有する白紙原稿であると判定し、（ｂ）前記副走査方向投影画像内に前記所定長以上のランが存在せず、前記主走査方向投影画像内に前記所定長以上のランが存在する場合、当該原稿が、縦罫線を有する白紙原稿であると判定することを特徴とする請求項１記載の画像読取装置。
【請求項５】
前記所定長は、前記原稿の文字サイズの最小値に設定されることを特徴とする請求項４記載の画像読取装置。
【請求項６】
前記白紙判定部は、（ａ）前記主走査方向投影画像内に前記所定長以上のランが所定数以上存在せず、前記副走査方向投影画像内に前記所定長以上のランが前記所定数以上存在する場合、当該原稿が、横罫線を有する白紙原稿であると判定し、（ｂ）前記副走査方向投影画像内に前記所定長以上のランが前記所定数以上存在せず、前記主走査方向投影画像内に前記所定長以上のランが前記所定数以上存在する場合、当該原稿が、縦罫線を有する白紙原稿であると判定し、
前記所定数は、１以上の数であって、設定データに基づいて指定されること、
を特徴とする請求項４または請求項５記載の画像読取装置。
【請求項７】
前記所定画素数は、前記原稿内の罫線の太さの上限値に設定されることを特徴とする請求項１から請求項６のうちのいずれか１項記載の画像読取装置。
【発明の詳細な説明】
【技術分野】
【０００１】
本発明は、画像読取装置に関するものである。
【背景技術】
【０００２】
ある画像読取装置は、主走査方向の非白ラインおよび副走査方向の非白ラインを検出し、主走査方向の非白ラインの連続数および副走査方向の非白ラインの連続数に基づいて、罫線を除外して白紙判定を行っている（例えば特許文献１参照）。例えばノートなどに予め印刷されているような罫線は、主走査方向または副走査方向に平行な細線であるため、上述の非白ラインの連続数が小さければ、その非白ラインは罫線と判定できる。このように、この画像読取装置は、入力画像内に、罫線以外のオブジェクト（文字など）が存在するか否かを判別することができる。
【先行技術文献】
【特許文献】
【０００３】
【特許文献１】特開２０１４−１４６９８１号公報
【発明の概要】
【発明が解決しようとする課題】
【０００４】
しかしながら、原稿内の罫線が横方向または縦方向に平行な細線であっても、画像読取時の斜行などに起因して、入力画像内では罫線が主走査方向または副走査方向に対して傾斜することがある。そのような場合、罫線が傾斜しているため、上述の画像読取装置では、傾斜している罫線に対応する非白ラインの連続数が多くなるため、罫線を除外しつつ他のオブジェクト（文字など）の有無を判定することが困難になる場合がある。
【０００５】
本発明は、上記の問題に鑑みてなされたものであり、入力画像内では罫線が傾斜していても、罫線以外のオブジェクト（文字など）が存在するか否かを判別することができる画像読取装置を得ることを目的とする。
【課題を解決するための手段】
【０００６】
本発明に係る画像読取装置は、原稿から原稿画像を光学的に読み取る画像読取部と、前記原稿画像から２値化画像である入力画像を生成する前処理部と、（ａ）前記入力画像において主走査方向の各注目画素位置における、副走査方向に沿って所定画素数以上連続する副走査方向のランの検出を試み、検出した前記副走査方向のランを主走査方向に沿って投影して１次元の主走査方向投影画像を生成し、（ｂ）前記入力画像において副走査方向の各注目画素位置における、主走査方向に沿って所定画素数以上連続する主走査方向のランの検出を試み、検出した前記主走査方向のランを副走査方向に沿って投影して１次元の副走査方向投影画像を生成する投影画像生成部と、少なくとも前記主走査方向投影画像のラン数および前記副走査方向投影画像のラン数に基づいて、当該原稿が白紙原稿であると判定する白紙判定部とを備える。
【発明の効果】
【０００７】
本発明によれば、入力画像内では罫線が傾斜していても、罫線以外のオブジェクト（文字など）が存在するか否かを判別することができる画像読取装置が得られる。
【０００８】
本発明の上記又は他の目的、特徴および優位性は、添付の図面とともに以下の詳細な説明から更に明らかになる。
【図面の簡単な説明】
【０００９】
【図１】図１は、本発明の実施の形態に係る画像読取装置の構成を示すブロック図である。
【図２】図２は、図１に示す画像読取装置の動作を説明するフローチャートである。
【図３】図３は、図２における投影画像生成処理（ステップＳ４）の一例について説明するフローチャートである（１／２）。
【図４】図４は、図２における投影画像生成処理（ステップＳ４）の一例について説明するフローチャートである（２／２）。
【図５】図５は、入力画像に文字オブジェクトが含まれる場合の主走査方向投影画像および副走査方向投影画像の一例を示す図である。
【図６】図６は、入力画像が傾斜しておらずかつ入力画像に文字オブジェクトが含まれていない場合の主走査方向投影画像および副走査方向投影画像の一例を示す図である。
【図７】図７は、入力画像が傾斜しており入力画像に文字オブジェクトが含まれていない場合の主走査方向投影画像および副走査方向投影画像の一例を示す図である。
【発明を実施するための形態】
【００１０】
以下、図に基づいて本発明の実施の形態を説明する。
【００１１】
実施の形態１．
【００１２】
図１は、本発明の実施の形態に係る画像読取装置の構成を示すブロック図である。図１に示す画像読取装置は、画像読取部１、前処理部２、投影画像生成部３、および白紙判定部４を備える。
【００１３】
画像読取部１は、原稿台に載置された原稿または自動原稿送り装置に搬送させた原稿から原稿画像を光学的に読み取り、原稿画像の画像データを出力する。なお、画像データは、カラー画像データであって、ＲＧＢデータであるが、ＣＭＹデータでもよい。また、画像データは、（グレイスケールまたは２値の）モノクロ画像データであってもよい。
【００１４】
前処理部２は、原稿画像から２値化画像である入力画像を生成する。例えば、カラー画像データが画像読取部１により出力される場合、まず、原稿画像から色成分を除去した輝度画像が生成され、その輝度画像の画素値を反転したもの（例えば８ビット画素値ｘの場合には画素値が（２５５−ｘ）に反転される）を２値化して入力画像が生成される。例えば、グレイスケールのモノクロ画像データが画像読取部１により出力される場合、その画像データに基づくグレイスケールのモノクロ画像を２値化して入力画像が生成される。例えば、２値化されたモノクロ画像データが画像読取部１により出力される場合、その画像データに基づく２値化画像が入力画像として使用される。
【００１５】
投影画像生成部３は、（ａ）その入力画像において主走査方向の各注目画素位置における、副走査方向に沿って所定画素数以上連続する副走査方向のランの検出を試み、検出した副走査方向のランを主走査方向に沿って投影して１次元の主走査方向投影画像（副走査方向に沿った１次元画像）を生成し、（ｂ）その入力画像において副走査方向の各注目画素位置における、主走査方向に沿って所定画素数以上連続する主走査方向のランの検出を試み、検出した主走査方向のランを副走査方向に沿って投影して１次元の副走査方向投影画像（主走査方向に沿った１次元画像）を生成する。
【００１６】
ここで、この「所定画素数」は、原稿内の罫線の太さ（画素数）の上限値に設定される。
【００１７】
なお、主走査方向投影画像の生成、および副走査方向投影画像の生成は、シーケンシャルに行ってもよいし、並行して行うようにしてもよい。主走査方向投影画像の生成および副走査方向投影画像の生成をシーケンシャルに行う場合の順番は、いずれを先に行うようにしてもよい。
【００１８】
白紙判定部４は、少なくとも主走査方向投影画像のラン数（０以上）および副走査方向投影画像のラン数（０以上）に基づいて、当該原稿が白紙原稿であると判定する。
【００１９】
実施の形態１では、白紙判定部４は、（ａ）主走査方向投影画像内にラン（つまり、投影されたラン）が存在せず、副走査方向投影画像内にランが存在する場合、当該原稿が、横罫線を有する白紙原稿であると判定し、（ｂ）副走査方向投影画像内にランが存在せず、主走査方向投影画像内にランが存在する場合、当該原稿が、縦罫線を有する白紙原稿であると判定する。なお、複数の投影されたランの一部または全部が互いに重なった場合には、１つのランとされる。
【００２０】
また、実施の形態１において、白紙判定部４は、（ａ）主走査方向投影画像内に所定数以上のランが存在せず、副走査方向投影画像内に所定数以上のランが存在する場合、当該原稿が、横罫線を有する白紙原稿であると判定し、（ｂ）副走査方向投影画像内に所定数以上のランが存在せず、主走査方向投影画像内に所定数以上のランが存在する場合、当該原稿が、縦罫線を有する白紙原稿であると判定するようにしてもよい。なお、ここで、「所定数」は、１以上の数であって、設定データに基づいて指定される。
【００２１】
この場合、例えば、罫線以外のオブジェクトがないような原稿であっても、ゴミや汚れなどに起因する少数の主走査方向投影画像および／または副走査方向投影画像が生成されることがある。そのような場合でも、当該原稿が白紙原稿であると正確に判定される。
【００２２】
なお、前処理部２、投影画像生成部３、および白紙判定部４は、例えば、ＣＰＵ（Central Processing Unit）、ＲＯＭ（Read Only Memory）、ＲＡＭ（Random Access Memory）などを有するコンピューターでプログラムを実行することにより実現されたり、ＡＳＩＣ（Application Specific Integrated Circuit）で実現されたりする。
【００２３】
次に、上記画像読取装置の動作について説明する。図２は、図１に示す画像読取装置の動作を説明するフローチャートである。
【００２４】
まず、画像読取部１が、原稿台に載置された原稿または自動原稿送り装置に搬送させた原稿から原稿画像を光学的に読み取り、原稿画像の画像データ（ここでは、ＲＧＢ画像データ）を前処理部２へ出力する（ステップＳ１）。このとき、原稿が横罫線または縦罫線を含んでいた場合、原稿上では、横罫線または縦罫線が原稿シートの辺に平行であったとしても、原稿画像内では、罫線の画像が傾斜している可能性がある。
【００２５】
前処理部２は、その画像データに基づくＲＧＢカラー画像を輝度画像へ変換し（ステップＳ２）、その輝度画像を２値化画像（入力画像）へ変換する（ステップＳ３）。
【００２６】
そして、投影画像生成部３は、その入力画像に基づいて、１次元の主走査方向投影画像および１次元の副走査方向投影画像の生成を行う（ステップＳ４）。
【００２７】
ここで、この投影画像生成処理（ステップＳ４）の一例について説明する。図３および図４は、図２における投影画像生成処理（ステップＳ４）の一例について説明するフローチャートである。なお、図３および図４に示す例では、入力画像内の画素値を１回走査して主走査方向投影画像および副走査方向投影画像を生成しているが、入力画像内の画素値を２回走査して主走査方向投影画像および副走査方向投影画像を別々に生成するようにしてもよい。
【００２８】
投影画像生成部３は、１つの主走査方向カウンターおよび入力画像の主走査方向の画素数（幅）と同数の副走査方向カウンターを設定し、それらのカウンター値をゼロにリセットする（ステップＳ１１）。
【００２９】
なお、主走査方向カウンターは、副走査方向における注目画素位置Ｐｓにおいて、主走査方向に連続する濃度ありの画素（つまりランの画素数）をカウントするカウンターである。副走査方向カウンターは、主走査方向の各画素位置に割り当てられ、主走査方向のある画素位置に割り当てられた主走査方向カウンターは、主走査方向のその画素位置において副走査方向に連続する濃度ありの画素（つまりランの画素数）をカウントするカウンターである。
【００３０】
そして、投影画像生成部３は、副走査方向の注目画素位置を先頭から順番に選択し（ステップＳ１２）、また、主走査方向の注目画素位置を先頭から順番に選択する（ステップＳ１３）。
【００３１】
そして、投影画像生成部３は、現時点の主走査方向の注目画素位置および副走査方向の注目画素位置の画素を注目画素とし、入力画像の注目画素が濃度ありか否かを判定する（ステップＳ１４）。
【００３２】
入力画像の注目画素が濃度ありの場合、投影画像生成部３は、主走査方向の現時点の注目画素位置に対応する副走査方向カウンターの値を１だけ増加するとともに（ステップＳ１５）、主走査方向カウンターの値を１だけ増加する（ステップＳ１６）。
【００３３】
一方、入力画像の注目画素が濃度ありではない場合、まず、投影画像生成部３は、主走査方向の注目画素位置に対応する副走査方向カウンターの値Ｃｓが所定閾値Ｔｈ以上であるか否かを判定し（ステップＳ１７）、副走査方向カウンターの値Ｃｓが所定閾値Ｔｈ以上である場合には、主走査方向投影画像に対してランを投影する（ステップＳ１８）。具体的には、このとき、投影画像生成部３は、主走査方向投影画像において、副走査方向の現時点の注目画素位置Ｐｓの１つ前の画素位置（Ｐｓ−１）から画素位置（Ｐｓ−Ｃｓ）までの区間の画素値を「濃度あり」に対応する値（例えば１）にセットする。なお、主走査方向投影画像は、１次元の２値画像であり、ここでは、主走査方向投影画像の各画素の初期値は「濃度なし」に対応する値（例えば０）にセットされている。
【００３４】
すなわち、注目画素が濃度なしであり、かつ、副走査方向カウンターの値Ｃｓがゼロでなければ、副走査方向のランの終端が検出されたことになるため、そのランの長さが所定画素数（閾値Ｔｈ）以上であれば、そのランが投影される。したがって、その際、注目画素が濃度なしであっても、副走査方向カウンターの値ＣｓがＴｈ未満であれば、ランは投影されない。
【００３５】
入力画像の注目画素が濃度ありではない場合、さらに、投影画像生成部３は、主走査方向カウンターの値Ｃｐが所定閾値Ｔｈ以上であるか否かを判定し（ステップＳ１９）、主走査方向カウンターの値Ｃｐが所定閾値Ｔｈ以上である場合には、副走査方向投影画像に対してランを投影する（ステップＳ２０）。具体的には、このとき、投影画像生成部３は、副走査方向投影画像において、主走査方向の現時点の注目画素位置Ｐｐの１つ前の画素位置（Ｐｐ−１）から画素位置（Ｐｐ−Ｃｐ）までの区間の画素値を「濃度あり」に対応する値（例えば１）にセットする。なお、副走査方向投影画像は、１次元の２値画像であり、ここでは、副走査方向投影画像の各画素の初期値は「濃度なし」に対応する値（例えば０）にセットされている。
【００３６】
すなわち、注目画素が濃度なしであり、かつ、主走査方向カウンターの値Ｃｐがゼロでなければ、主走査方向のランの終端が検出されたことになるため、そのランの長さが所定画素数（閾値Ｔｈ）以上であれば、そのランが投影される。したがって、その際、注目画素が濃度なしであっても、主走査方向カウンターの値ＣｐがＴｈ未満であれば、ランは投影されない。
【００３７】
その後、投影画像生成部３は、主走査方向カウンターの値Ｃｐおよび主走査方向の現時点の注目画素位置の副走査方向カウンターの値Ｃｓを、ゼロにリセットする（ステップＳ２１）。
【００３８】
そして、投影画像生成部３は、注目画素が主走査方向の終端画素であるか否かを判定し（ステップＳ２２）、注目画素が主走査方向の終端画素でなければ、ステップＳ１３に戻り、主走査方向における次の注目画素位置を選択し、次の注目画素について、同様の処理を実行する。
【００３９】
一方、注目画素が主走査方向の終端画素である場合には、投影画像生成部３は、主走査方向カウンターの値Ｃｐが所定閾値Ｔｈ以上であるか否かを判定し（ステップＳ２３）、主走査方向カウンターの値Ｃｐが所定閾値Ｔｈ以上である場合には、ステップＳ２０と同様にして、副走査方向投影画像に対してランを投影する（ステップＳ２４）。なお、主走査方向カウンターの値Ｃｐが所定閾値Ｔｈ未満である場合には、ランは投影されない。
【００４０】
その後、投影画像生成部３は、主走査方向カウンターの値Ｃｐをゼロにリセットし（ステップＳ２５）、主走査方向の注目画素位置を先頭へリセットする（ステップＳ２６）。
【００４１】
そして、投影画像生成部３は、注目画素が副走査方向の終端画素（つまり、入力画像の最後の画素）であるか否かを判定し（ステップＳ２７）、注目画素が副走査方向の終端画素でなければ、ステップＳ１２に戻り、副走査方向における次の注目画素位置を選択し、次の注目画素について、同様の処理を実行する。
【００４２】
一方、注目画素が副走査方向の終端画素である場合には、投影画像生成部３は、主走査方向の注目画素位置を先頭から順番に選択し（ステップＳ２８）、主走査方向の現時点の注目画素位置に対応する副走査方向カウンターの値Ｃｓが所定閾値Ｔｈ以上であるか否かを判定し（ステップＳ２９）、その副走査方向カウンターの値Ｃｓが所定閾値Ｔｈ以上であるときには、ステップＳ１８と同様にして、主走査方向投影画像に対してランを投影する（ステップＳ３０）。
【００４３】
そして、投影画像生成部３は、主走査方向の注目画素が主走査方向の終端画素であるか否かを判定し（ステップＳ３１）、注目画素が主走査方向の終端画素でなければ、ステップＳ２８に戻り、主走査方向における次の注目画素位置を選択し、次の注目画素について、同様の処理を実行する。一方、注目画素が主走査方向の終端画素である場合には、投影画像生成処理（ステップＳ４）が終了する。
【００４４】
図２に戻り、投影画像生成処理（ステップＳ４）が終了すると、白紙判定部４は、上述のようにして、主走査方向投影画像内のラン数および副走査方向投影画像のラン数などに基づいて、当該原稿が白紙原稿であると判定する（ステップＳ５）。
【００４５】
図５は、入力画像に文字オブジェクトが含まれる場合の主走査方向投影画像および副走査方向投影画像の一例を示す図である。図６は、入力画像が傾斜しておらずかつ入力画像に文字オブジェクトが含まれていない場合の主走査方向投影画像および副走査方向投影画像の一例を示す図である。図７は、入力画像が傾斜しており入力画像に文字オブジェクトが含まれていない場合の主走査方向投影画像および副走査方向投影画像の一例を示す図である。
【００４６】
例えば図５に示すように、入力画像に横罫線および文字オブジェクトが含まれている場合には、主走査方向投影画像および副走査方向投影画像の両方にランが現れるため、当該原稿は白紙原稿ではないと判定される。
【００４７】
例えば図６に示すように、入力画像に横罫線のみが含まれている場合には、副走査方向投影画像にはランが現れるが、主走査方向投影画像にはランが現れるため、当該原稿は、横罫線を有する白紙原稿であると判定される。
【００４８】
そして、例えば図７に示すように、入力画像に、傾斜した横罫線のみが含まれている場合にも、図６と同様に、副走査方向投影画像にはランが現れるが、主走査方向投影画像にはランが現れるため、当該原稿は、横罫線を有する白紙原稿であると判定される。
【００４９】
その後、白紙判定部による判定結果に基づいて、（例えば白紙原稿についてはコピーの印刷をスキップするなど）後段の処理が実行される。
【００５０】
以上のように、上記実施の形態１によれば、画像読取部１は、原稿から原稿画像を光学的に読み取り、前処理部２は、その原稿画像から２値化画像である入力画像を生成する。投影画像生成部３は、（ａ）その入力画像において主走査方向の各注目画素位置における、副走査方向に沿って所定画素数以上連続する副走査方向のランの検出を試み、検出した副走査方向のランを主走査方向に沿って投影して１次元の主走査方向投影画像を生成し、（ｂ）その入力画像において副走査方向の各注目画素位置における、主走査方向に沿って所定画素数以上連続する主走査方向のランの検出を試み、検出した主走査方向のランを副走査方向に沿って投影して１次元の副走査方向投影画像を生成する。そして、白紙判定部４は、少なくとも主走査方向投影画像のラン数および副走査方向投影画像のラン数に基づいて、当該原稿が白紙原稿であると判定する。
【００５１】
これにより、入力画像内では罫線が傾斜していても、罫線以外のオブジェクト（文字など）が存在するか否かを判別することができる。
【００５２】
実施の形態２．
【００５３】
実施の形態２に係る画像読取装置では、白紙判定部４は、（ａ）上述の主走査方向投影画像内に所定長以上のランが存在せず、上述の副走査方向投影画像内に所定長以上のランが存在する場合、当該原稿が、横罫線を有する白紙原稿であると判定し、（ｂ）上述の副走査方向投影画像内に所定長以上のランが存在せず、上述の主走査方向投影画像内に所定長以上のランが存在する場合、当該原稿が、縦罫線を有する白紙原稿であると判定する。
【００５４】
このとき、この「所定長」は、例えば、原稿の文字サイズの最小値に設定される。これにより、例えばゴミや汚れに起因する、最小文字サイズ未満のランが、白紙原稿の判定の際に除外される。
【００５５】
また、実施の形態２において、白紙判定部４は、（ａ）主走査方向投影画像内に所定長以上のランが所定数以上存在せず、副走査方向投影画像内に所定長以上のランが所定数以上存在する場合、当該原稿が、横罫線を有する白紙原稿であると判定し、（ｂ）副走査方向投影画像内に所定長以上のランが所定数以上存在せず、主走査方向投影画像内に所定長以上のランが所定数以上存在する場合、当該原稿が、縦罫線を有する白紙原稿であると判定するようにしてもよい。その場合、この「所定数」は、実施の形態１と同様に、１以上の数であって、設定データに基づいて指定される。
【００５６】
なお、実施の形態２に係る画像読取装置のその他の構成および動作については実施の形態１に係る画像読取装置と同様であるので、その説明を省略する。
【００５７】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００５８】
例えば、上記実施の形態１において、白紙判定部４は、（ａ）上述の主走査方向投影画像内にランが存在せず、かつ、上述の副走査方向投影画像内にランが存在しない場合、当該原稿が、罫線を有さない白紙原稿であると判定するようにしてもよい。
【００５９】
また、上記実施の形態２において、白紙判定部４は、（ａ）上述の主走査方向投影画像内に所定長以上のランが存在せず、かつ、上述の副走査方向投影画像内に所定長以上のランが存在しない場合、当該原稿が、罫線を有さない白紙原稿であると判定するようにしてもよい。
【００６０】
なお、上記実施の形態１，２において、「白紙原稿」とは、白色な原稿ということではなく、罫線以外の有意な画像オブジェクト（文字、図形、写真など）を含まない原稿のことをいう。
【産業上の利用可能性】
【００６１】
本発明は、例えば、スキャナー、複写機、ファクシミリ機、複合機などの画像読取装置に適用可能である。
【符号の説明】
【００６２】
１  画像読取部
２  前処理部
３  投影画像生成部
４  白紙判定部
【図１】
2018093356.tif 000003
【図２】
2018093356.tif 000004
【図３】
2018093356.tif 000005
【図４】
2018093356.tif 000006
【図５】
2018093356.tif 000007
【図６】
2018093356.tif 000008
【図７】
2018093356.tif 000009